(57)【要約】【課題】  画像の切り出し領域に応じた欠陥画素補正を行うことにより、高速な補正処理を実現するとともに高画質な切り出し画像を得る。【解決手段】  複数の画素を有する撮像素子から出力された複数の信号の中から、切り出しをする第１の画素領域を指定する第１の領域指定手段と、前記撮像素子に含まれる欠陥画素から出力された信号を補正する補正手段と、前記第１の画素領域の範囲に応じて、前記補正手段において補正の対象とする第２の画素領域を切り替える領域切り替え手段とを有することを特徴とする画像処理装置を提供する。【選択図】  図１
2006060307.tif 000002
【特許請求の範囲】
【請求項１】
複数の画素を有する撮像素子から出力された複数の信号の中から、切り出しをする第１の画素領域を指定する領域指定手段と、
前記撮像素子に含まれる欠陥画素から出力された信号を補正する補正手段と、
前記第１の画素領域の範囲に応じて、前記補正手段において補正の対象とする第２の画素領域を切り替える領域切り替え手段とを有することを特徴とする画像処理装置。
【請求項２】
前記補正手段は、前記領域切り替え手段の切り替え結果に関わらず、前記第２の画素領域の欠陥画素の補正条件を一定にすることを特徴とする請求項１に記載の画像処理装置。
【請求項３】
前記補正条件とは、補正対象とする欠陥画素の個数であることを特徴とする請求項２に記載の画像処理装置。
【請求項４】
少なくとも第１のズーム倍率、第２のズーム倍率を設定する設定手段を更に備え、
前記領域指定手段は、前記第１のズーム倍率、又は、前記第１のズーム倍率よりも低い第２のズーム倍率に対応した前記第１の画素領域を指定し、
前記補正手段は、前記第１のズーム倍率に設定された場合に補正対象とする欠陥画素を、前記第２のズーム倍率に設定された場合においても、補正対象とすることを特徴とする請求項１乃至３のいずれか一項に記載の画像処理装置。
【請求項５】
撮影条件に応じて、前記領域切り替え手段による補正対象画素領域の切り替えを行うか否かを制御する制御手段を更に有することを特徴とする請求項１乃至４のいずれか一項に記載の画像処理装置。
【請求項６】
前記撮影条件とは、静止画モードと、撮像画像を動画としてモニタリングする動画モードとであり、前記静止画モードで補正する欠陥画素の数は、前記動画モードで補正する欠陥画素の数よりも、多いことを特徴とする請求項５に記載の画像処理装置。
【請求項７】
請求項１乃至６のいずれか一項に記載の画像処理装置と、
複数の画素を有する撮像素子と、
前記撮像素子に像を結像するレンズと、
前記撮像素子からの信号をＡ／Ｄ変換するＡ／Ｄ変換器と、
前記第１の領域指定手段によって切り出し指定された画素領域からの信号を表示する表示手段と、
前記前記第１の領域指定手段によって切り出し指定された画素領域からの信号を記憶手段に記憶するように制御する記憶制御手段とを有することを特徴とする撮像装置。
【請求項８】
複数の画素を有する撮像素子から出力された複数の信号の中から、切り出しをする第１の画素領域を指定する領域指定工程と、
前記撮像素子に含まれる欠陥画素から出力された信号を補正する補正工程と、
前記第１の画素領域の範囲に応じて、前記補正工程において補正の対象とする第２の画素領域を切り替える領域切り替え工程とを有することを特徴とする画像処理方法。
【発明の詳細な説明】
【技術分野】
【０００１】
本発明は、ＣＣＤ等の撮像素子を備え、撮影された画像をデジタルデータとして表示又は記録媒体に記憶する画像処理装置に関するものである。
【背景技術】
【０００２】
近年、ビデオカメラなどの機器に組み込んだ状態でも、欠陥画素を検出してこれを補正できる欠陥補正装置が提案されている。この種の欠陥補正装置では、１画面内を検出走査する際に、画面の端から順に欠陥画素を検出して、その画素についての欠陥データをメモリに順次記憶するようにしている。この欠陥検出時に記憶する欠陥データは、欠陥画素の絶対位置を特定するアドレスデータ、もしくは、これに欠陥レベルの大きさを示すレベルデータを加えたものである。しかし、従来の欠陥補正装置では、欠陥検出を画面内の初めのラインから順次検査し、欠陥画素を検出した場合にその欠陥データをリアルタイムでメモリに記憶し、１フレームの走査を終了するようにしていたので、仮に、存在する欠陥画素数がメモリの記憶容量数（例えば、１０個）を越えている場合には、それ以降検出した欠陥画素についての欠陥データを記憶できないという不都合があった。
【０００３】
上記のような問題を解決するために、例えば、撮像素子の欠陥画素のアドレスデータ及び欠陥レベルデータをｎ個記憶できる記憶手段と、この記憶手段にｎ個の欠陥画素が記憶されたときに、この撮像素子から検出した欠陥画素の欠陥レベルとこの記憶手段に記憶したｎ個の欠陥画素の欠陥レベルとを比較する欠陥レベル比較手段と、この欠陥レベル比較手段がこの撮像素子から検出した欠陥画素の欠陥レベルの方が大きいと判断したときに、この欠陥画素のアドレスデータ及び欠陥レベルデータを欠陥レベルが小さいと判断された欠陥画素に代えて記憶させる書き込み制御手段とを有することにより、限られた記憶容量のメモリを有効に用いて、画面全体に亘って効率的に欠陥画素の検出及び欠陥補正ができる欠陥補正装置が提案されている。（特許文献１参照）
【特許文献１】特開平７−０５９０１１号公報
【発明の開示】
【発明が解決しようとする課題】
【０００４】
しかしながら、上述した欠陥補正装置の場合、電子ズームのように画像の一部を切り出して画像を拡大する場合は、欠陥画素のレベルがそれほど高くなく、画面全体を使用する場合では補正の必要がないような欠陥レベルであっても、欠陥画素部分が目立つことがある。さらに、上述した欠陥補正装置の場合、画像を切り出す場合であっても、切り出す領域の外側も補正してしまうために、処理速度の条件により補正個数の上限が限られている欠陥補正装置においては、切り出し領域内を適切に補正できないという問題があった。
【０００５】
そこで、本発明は電子ズームのように画像の一部を切り出して画像を出力する場合であっても、高画質なズーム画像を得られることを目的とする。
【課題を解決するための手段】
【０００６】
上述した課題を達成するために、本発明の画像処理装置は、複数の画素を有する撮像素子から出力された複数の信号の中から、切り出しをする第１の画素領域を指定する第１の領域指定手段と、前記撮像素子に含まれる欠陥画素から出力された信号を補正する補正手段と、前記第１の画素領域の範囲に応じて、前記補正手段において補正の対象とする第２の画素領域を切り替える領域切り替え手段とを有する。
【発明の効果】
【０００７】
本発明によれば、効率的な欠陥画素補正を行うことができる。また、処理時間などの制約により欠陥画素の補正個数が制限されてしまう場合でも無駄な処理を抑えることができる。
【発明を実施するための最良の形態】
【０００８】
以下、本発明の実施の形態を図面に基づいて詳細に説明する。
【０００９】
（第１の実施の形態）
図１は、本発明の第１の実施の形態に係る画像処理装置の構成を示すブロック図である。撮像素子１に被写体像を結像するレンズ（不図示）を通じて、撮像素子１の撮像面に光が照射され、被写体の光学像が電気信号に変換される。ＴＧ（タイミング発生回路）は、撮像素子１、Ａ／Ｄ変換器３にクロック信号や制御信号を供給する。画像処理回路４は画像を処理するための回路であり、５つのブロックを備えている。４ａは欠陥画素補正回路であり、登録しておいた座標の画素をまわりの画素から補間するための回路である。４ｂは画像切り出し回路であり、入力された画像データのうち必要な画像データを抽出して切り出すための回路である。４ｃは画像データ変倍回路であり、画像データの拡大縮小を行う。４ｄは画像データ変換回路であり、画像データを表示データや圧縮前データなどに変換するための回路である。４ｅは圧縮／伸張回路であり、画像データを圧縮又は記憶媒体６に記憶された圧縮画像データを伸張するための回路である。５はＣＰＵで画像処理装置全体を制御するためのものである。６は記憶媒体で、圧縮画像データを記憶する。７はＤＲＡＭであり画像データや撮影パラメータなどのデータを一時記憶させておくためのメモリである。８はＶＲＡＭ（ビデオＲＡＭ）で、表示画像データを記憶させておくためのメモリである。９はＬＣＤドライバでＬＣＤを制御する。１０はＬＣＤで画像を表示する。１１はＦＲＯＭで不揮発性のメモリであり、画像処理装置を制御するプログラムやデータなどが記憶されている。
【００１０】
次に、モニタリング表示時を例にとり、画像データの流れについて、図１を用いて説明する。モニタリング表示は、ユーザーが撮影前に撮像しようとする被写体を確認するためのものである。画像処理装置は撮像を繰り返し行い、撮像された毎に画像データを表示装置に表示更新する。ユーザー操作で図示されていないズームレバーを引くと電子ズーム状態になり画像が拡大表示される。ユーザーが表示装置に表示された画像を確認して、図示されていない撮影ボタンを押すと、画像処理装置は画像を記録する。
【００１１】
撮像素子１でキャプチャされた画像データは、Ａ／Ｄ変換器３でデジタルデータに変換され、画像処理回路４に入る。画像処理回路内では、４ａで欠陥画素補正され、必要に応じて４ｂの画像切り出し回路で、画像が切り出される。電子ズームの場合は、ここで表示又は記録に必要な部分が画像全体から切り出される。その後、４ｃの画像データ変倍回路で表示画像サイズに合うように拡大又は縮小される。画像データ変換回路４ｄで表示用データに変換され、ＶＲＡＭ８に記憶される。記憶された表示用データはＬＣＤドライバ９を介しＬＣＤ１０に表示される。
【００１２】
次に、欠陥画素補正回路４ａの補正方法を、図２を用いて説明する。欠陥画素補正回路には欠陥画素座標をあらかじめ設定しておく。画像データは撮像素子の色フィルタと同じ順番で図２のようにＲ（レッド）Ｇ（グリーン）Ｂ（ブルー）の３色の色データから構成され、奇数ラインはＲＧＲＧＲ・・・、偶数画素はＢＧＢＧ・・・というように画像データが並んでいる。欠陥画素補正回路４ａは登録された座標の欠陥画素のデータを周りの同色画素から求めた補正データに置き換える。例えば、Ｇ２−３が欠陥画素であったとすると、Ｇ２−１とＧ２−５の平均を取って補正データを作成し、Ｇ２−３の画像データを補正データと置き換える。
【００１３】
まず、図４および図５を用いて、補正テーブルの持ち方を説明する。フローの動作を行う前にあらかじめ、ＦＲＯＭ１１に図５のような欠陥画素テーブルを、補正テーブルとして電子ズームの倍率ごとに切り出し領域内になるように、欠陥画素を各々４個記憶しておく。なお、欠陥画素の個数は４個に限らず、モニタリング処理の画像データキャプチャから表示が処理時間に収まるような最大個数やＦＲＯＭの容量の範囲内などの制約条件に収まるように求めればよい。電子ズームの切り出し領域の例は、図４に示すようになっており、電子ズームの倍率が高ければ高いほど、切り出し領域は小さく設定される。規定の条件下で、グレー一色の画像を撮影し、電子ズームをしない場合はｘ１．０の領域から画面全体の平均値から離れている順に４個分の座標を補正テーブルとして記憶し、電子ズームｘ１．２の場合はｘ１．２の領域から画面全体の平均値から離れている順に４個座標を補正テーブルとして記憶しておく。例えば、図４のように欠陥画素が存在する場合に、電子ズームがｘ１．０のときは欠陥レベルの高い順に（２５０，１５）、（３００，７５）、（２４０，１２０）、（３２０，２３０）の順になるため、ｘ１．０のときはこの４つの座標を補正テーブルとして持ち、ｘ１．２のときはｘ１．２の領域から欠陥画素レベルの高い順に選択されるため（３００，７５）、（２４０，１２０）、（３２０，２３０）、（２００，１５０）の４つを補正テーブルとして持つ。このように、それぞれの倍率における補正テーブルを、図５に示す通りに記憶しておく。図５を見ればわかるように、各倍率の領域から、欠陥レベルの高い順に座標を選択し、座標テーブルの並び順を画像取り込み順に並べて、ＦＲＯＭ１１に記憶しておく。
【００１４】
第１の実施の形態におけるモニタリング表示の動作の例を図３を用いて説明する。モニタリングフロー時はまず、撮像素子１、Ａ／Ｄ変換器３へのクロック信号の供給の開始など撮像素子１やＴＧ２の初期設定を行う（Ｓ３０１）。その後、欠陥画素補正回路４ａへの欠陥画素座標の登録や画像切り出し回路４ｂへの画像切り出し領域の設定、画像データ変倍回路４ｃへの変倍率の設定など、画像処理回路４の諸設定を行う（Ｓ３０２）。モニタリング表示が終了かどうかを判断し（Ｓ３０３）、モニタリング表示が終了の場合には、ＣＣＤおよびＴＧの終了設定を行い（Ｓ３０４）、画像処理回路の終了設定を行う（Ｓ３０５）。また、モニタリング表示が終了でなければ、ユーザー操作によって設定されている電子ズーム倍率の確認を行い（Ｓ３０６）、電子ズーム倍率が変更されているかどうかを判断し（Ｓ３０７）、電子ズームの倍率が初期設定と変わっていなければ、欠陥画素補正回路４ａに座標設定Ｓ３０９を行う。電子ズームの倍率が初期設定と異なっていたら、ＦＲＯＭ１１から欠陥画素座標のテーブルを読み出して（Ｓ３０８）、欠陥画素補正回路４ａに座標設定（Ｓ３０９）を行い、画像切り出し回路４ｂに切り出し領域の設定（Ｓ３１０）と画像データ変倍設定（Ｓ３１１）を画像データ変倍回路４ｃに行う。その後、画像データキャプチャを開始する（Ｓ３１２）。撮像素子１でキャプチャされた画像データが、Ａ／Ｄ変換器３でデジタルデータに変換されて、欠陥画素補正を含む画像処理回路を介して（Ｓ３１３、Ｓ３１４）、ＶＲＡＭ８に一時記憶された後、ＬＣＤ１０に表示される（Ｓ３１５）。モニタリング表示が終了するまで、電子ズームの確認から画像データ表示までの処理が繰り返し行われる（つまり、Ｓ３０３に戻る）。このように、ユーザー操作による電子ズーム倍率変更が行われた場合に、電子ズーム倍率に応じた補正テーブルがＦＲＯＭ１１から読み直され、欠陥画素補正回路４ａに登録される欠陥画素座標および、画像切り出し回路４ｂに設定される切り出し領域、画像データ変倍回路４ｃに設定される画像変倍倍率が変更されることにより、表示領域に対し無駄のない欠陥画素補正を行うことができる。
【００１５】
なお、上述の説明では、モニタリング表示の例を説明したが、静止画記録の場合において画像切り出し領域に合わせて補正テーブルの変更を行ってもかまわない。また、画像切り出しにおいては回路を使用せず、一度画像全体をＤＲＡＭ７に書き込んでおき、必要な領域のみを画像変換するなどして画像切り出しをしてもかまわない。また欠陥画素座標のテーブルは電子ズームの倍率ごとに持たずに、全画像から欠陥レベルの高い順に補正テーブルを１つ持っており、電子ズームの倍率が変更されるごとに切り出し領域内の欠陥画素座標を全画像の欠陥画素座標テーブルからレベルの高い順に４個検索して各々の倍率の欠陥画素座標テーブルとして使用してもかまわない。
【００１６】
第１の実施の形態のように、欠陥画素補正領域を、撮像された画像の表示、又は記憶に使用する画像切り出し領域に合せて変化させ、表示、又は記憶に使用される領域以外の補正をしないことで、表示、又は記憶に対して、無駄な欠陥画素補正処理を省くことができる。また、画像切り出し領域に関わらず、補正個数を規定個数にすることで、画像拡大倍率が大きい電子ズーム時に、小さい画像切り出し領域に対して高い密度で補正ができることから、欠陥画素を目立たなくすることができる。
【００１７】
以上説明したように画像処理装置を構成することによって、高倍率電子ズーム時のように画像を切り出して表示する場合であっても、欠陥画素が目立たない高画質な画像を得ることができる。
【００１８】
（第２の実施の形態）
本発明における第２の実施の形態について説明する。本実施の形態における画像処理装置の構成は、第１の実施の形態における画像処理装置と同じである。
【００１９】
第２の実施の形態では、代表的な動作モードとして、ＥＶＦ（電子ビューファインダ）モード、及び静止画撮影モードの切り替えのある画像処理装置について図６のフロー図を用いて説明する。
【００２０】
まず、撮像素子１、Ａ／Ｄ変換器３へのクロック信号の供給の開始など撮像素子１やＴＧ２の初期設定を行う（Ｓ６０１）。その後、欠陥画素補正回路４ａへの欠陥画素座標の登録や画像切り出し回路４ｂへの画像切り出し領域の設定、画像データ変倍回路４ｃへの変倍率の設定など、画像処理回路４の諸設定を行う（Ｓ６０２）。モニタリング表示が終了かどうかを判断し（Ｓ６０３）、モニタリング表示が終了の場合には、ＣＣＤおよびＴＧの終了設定を行い（Ｓ３０４）、画像処理回路の終了設定を行う（Ｓ６０５）。また、モニタリング表示が終了でなければ、ユーザー操作によって撮影ボタン（不図示）がＯＮされたかどうかを判断し（Ｓ６０６）、撮影ボタンがＯＮの場合には、Ｓ６１７へ進み（Ｓ３０４）、撮影ボタンがＯＮでない場合には、Ｓ６０７に進む。
【００２１】
撮影ボタンがＯＮでない場合は、ＥＶＦモードとなる。Ｓ６０７では、ユーザー操作によって設定されている電子ズーム倍率の確認を行う。次に、電子ズーム倍率が変更されているかどうかを判断し（Ｓ６０８）、電子ズームの倍率が初期設定と変わっていなければ、欠陥画素補正回路４ａに座標設定Ｓ６１０を行う。電子ズームの倍率が初期設定と異なっていたら、ＦＲＯＭ１１から欠陥画素座標のテーブルを読み出して（Ｓ６０９）、欠陥画素補正回路４ａに座標設定（Ｓ６１０）を行い、画像切り出し回路４ｂに切り出し領域の設定（Ｓ６１１）と画像データ変倍設定（Ｓ６１２）を画像データ変倍回路４ｃに行う。その後、画像データキャプチャを開始する（Ｓ６１３）。撮像素子１でキャプチャされた画像データが、Ａ／Ｄ変換器３でデジタルデータに変換されて、欠陥画素補正を含む画像処理回路を介して（Ｓ６１４、Ｓ６１５）、ＶＲＡＭ８に一時記憶された後、ＬＣＤ１０に表示される（Ｓ６１６）。モニタリング表示が終了するまで、電子ズームの確認から画像データ表示までの処理が繰り返し行われる（つまり、Ｓ６０３に戻る）。
【００２２】
このように、ＥＶＦモードでは、水平の隣接画素から補間するという補正処理をハードウエアで行う。テーブルを切り出しサイズごとに予め記憶手段に記憶しておき、切り出し画面に応じて、テーブルを切り替えて補正を行う。
ＥＶＦモードでは、表示に必要な箇所の欠陥画素だけを補正することができるので、時間的に制約があり補正できる欠陥画素の数が限られていても（具体的には、後に説明する動画撮影モードや、静止画撮影モードよりも、時間の制約があるため補正できる欠陥画素の数は少ない）、切り出す画面以外の必要のない箇所の欠陥画素を補正してしまうという無駄を省くと共に、画質劣化が目立ってしまうことを防止できる。また、切り出し画面ごとに、欠陥画素情報のタイミングテーブルを持っているので、補正対象画素が切り出し領域範囲内かどうか判断する必要がなく、補正時間の短縮を図ることができる。
【００２３】
一方、撮影ボタンがＯＮされると、静止画撮影モードへと進む。撮像素子の読み出しモードをモニタリング用の垂直を間引きして読み出すモードから、静止画キャプチャ用の全画素を読み出すモードに切り替えられる（Ｓ６１７）。Ｓ６１８では、ユーザー操作によって設定されている電子ズーム倍率の確認を行う。次に、画像切り出し回路４ｂに切り出し領域の設定（Ｓ６１９）と画像データ変倍設定（Ｓ６２０）を画像データ変倍回路４ｃに行う。その後、画像データキャプチャを開始する（Ｓ６２１）。撮像素子１でキャプチャされた画像データが、Ａ／Ｄ変換器３でデジタルデータに変換されて、欠陥画素補正を含む画像処理回路を介して（Ｓ６２２、Ｓ６２３）、画像が記録媒体に記録される（Ｓ６２４）。そして、Ｓ６０３に戻る。
【００２４】
このように静止画を撮影するモードでは、水平と垂直の隣接画素から補間するという補正処理をソフトウエアで行う。テーブルは１つだけ持っており、テーブルに記憶された欠陥画素についてはすべて補正してから、画像切り出しを行う。
【００２５】
静止画撮影モードでは、ソフトウエアでハードウエアよりも精密な補間処理（水平と垂直の隣接画素を用いた補間処理）を行うので、補正速度の短縮は図れないが、より画質のよい画像を得ることができる。また、切り出し領域外の欠陥画素も補正を行うので、補正時間の短縮を図ることはできないが、切り出し画面ごとにタイミングテーブルを持っておく必要がないので、メモリ容量を抑えることができる。
【００２６】
このように、静止画撮影モードの場合は全画素読み出しをするのに対して、ＥＶＦモードの場合は撮像素子１０１の画素配列において垂直方向に間引き読み出しを行って１フレーム分の画素信号読み出し処理の高速化をはかっている。
【００２７】
第２の実施の形態では、静止画撮影モードと、ＥＶＦモードを切り替えて動作する画像処理装置について説明したが、静止画撮影モードであるか又は動画撮影モードであるかによって、動作を切り替えても構わない。動画撮影モードの場合には、水平の隣接画素から補間するという補正処理をハードウエアで行う。テーブルは１つだけ持っており、テーブルに記憶された欠陥画素についてはすべて補正してから、画像切り出しを行う。動画撮影モードでは、切り出し領域外の欠陥画素も補正を行うので、補正時間の短縮を図ることはできないが、切り出し画面ごとにタイミングテーブルを持っておく必要がないので、メモリ容量を抑えることができる。またハードウエアで補正処理を行うため、ソフトウエアで補正処理するよりも高速に補正を行うことができる。
【００２８】
上記のようなそれぞれのモードに応じた切り替えにより、最適な補正速度、欠陥画素データのメモリ容量、画質にすることが可能となる。
【００２９】
（第３の実施の形態）
本発明における第３の実施の形態について説明する。本実施の形態における画像処理装置の構成は、第１の実施の形態における画像処理装置と同じである。
【００３０】
第３の実施の形態では、電子ズーム倍率ごとに保持する欠陥画素データの持ち方として、ｎ倍の電子ズーム倍率時において保持する欠陥画素アドレスは、ｎ−１倍の電子ズーム倍率時に保持する欠陥画素アドレスのうち、ｎ倍の電子ズーム領域に含む欠陥画素アドレスのみ保持するという方法をとる。
【００３１】
上記の電子ズーム倍率ごとに保持する欠陥画素データの持ち方の概念図を図７に示す。図７の例では電子ズーム倍率ｎ−１の時に補正した欠陥画素アドレスは、
アドレス１
アドレス２
アドレス３
アドレス４
アドレス５
の５つの欠陥画素を補正したとする。この時、電子ズーム倍率ｎの時は、上記アドレスのうち、電子ズーム倍率ｎの領域に含まれるアドレス３とアドレス５のみを補正する。この補正により電子ズームをｎ倍からｎ−１倍もしくは、その逆の動作を行っても、電子ズーム倍率ｎの領域において補正される欠陥画素は同じであるため、切り替わりによる不自然さを防ぐことができる。
【００３２】
図８は欠陥画素データ保持方法の概念図である。具体的に図８を説明すると、例えば、電子ズーム無しの場合に補正対象となる電子ズーム倍率２の領域に含まれる欠陥画素のアドレスは、電子ズーム倍率が２倍になった場合も補正対象アドレスとしている。同様に、電子ズーム倍率がｎ−１倍の場合に補正対象となる電子ズーム倍率ｎの領域に含まれる欠陥画素のアドレスは、電子ズーム倍率がｎ倍の場合も補正対象アドレスとしている。逆の見方をすると、電子ズーム倍率がｎ倍の場合に補正対象となる電子ズーム倍率ｎの領域に含まれる欠陥画素のアドレスは、電子ズーム倍率がｎ−１倍の場合も補正対象アドレスとしている。なお、ここでは電子ズーム倍率がｎ倍の場合には電子ズーム倍率ｎの領域内の欠陥画素を補正対象とするものとする。
【００３３】
次に、第３の実施の形態で行う処理を図９にフロー図として示し、この図を元に説明を加える。Ｓ９０１では電子ズーム倍率ごとに、上記で説明した欠陥画素データを保持する方法に従って記憶されている欠陥画素データを取得する。Ｓ９０２ではＳ９０１で取得した欠陥画素アドレス群を補正する。この補正方法の一例として、欠陥画素の隣り合う同色の画素から補間を行う方法がある。
【００３４】
第３の実施の形態のような欠陥画素データの持ち方をして、電子ズーム領域における欠陥画素の欠陥画素レベルを大きい順に並び替え、補正を行えば、電子ズーム領域ごとに補正できる欠陥画素の個数は有限であるために、欠陥画素レベルの大きい順に補正する欠陥画素を選択すると、電子ズーム有りの時に補正した最小レベルの欠陥画素は電子ズーム無しの場合には補正されないことになり、その結果、電子ズームした場合としない場合で補正されたり、されなかったりする欠陥画素が発生するため、ズームの切り替わりが不自然になる弊害が発生することを防止できる。
【００３５】
つまり、ｎ−１倍の電子ズーム倍率時に保持する欠陥画素アドレスのうち、ｎ倍の電子ズーム領域の中の欠陥画素アドレスは、ｎ倍の電子ズーム倍率時において保持する欠陥画素アドレスのみを保持するため、電子ズームした場合と、電子ズームしない場合で、補正する欠陥画素が変動せず、ズームの切り替わりを自然に行うことができる。
【図面の簡単な説明】
【００３６】
【図１】第１の実施の形態の画像処理装置のブロック図である。
【図２】第１の実施の形態の画像データの配列図である。
【図３】第１の実施の形態のモニタリング処理のフロー図である。
【図４】第１の実施の形態の電子ズーム切り出し領域を表す図である。
【図５】第１の実施の形態の補正テーブルを表す図である。
【図６】第２の実施の形態の処理のフロー図である。
【図７】第３の実施の形態の補正用データ保持方法の概念図である。
【図８】第３の実施の形態ので保持される補正用データの表である。
【図９】第３の実施の形態の処理のフロー図である。
【符号の説明】
【００３７】
１  撮像素子
２  ＴＧ（タイミング発生装置）
３  Ａ／Ｄ
４  画像処理回路
４ａ  欠陥画素補正回路
４ｂ  画像切り出し回路
４ｃ  画像データ変倍回路
４ｄ  画像データ変換回路
４ｅ  圧縮／伸張回路
５  ＣＰＵ
６  記憶媒体
７  ＤＲＡＭ
８  ＶＲＡＭ
９  ＬＣＤドライバ
１０  ＬＣＤ
１１  ＦＲＯＭ
【図１】
2006060307.tif 000003
【図２】
2006060307.tif 000004
【図３】
2006060307.tif 000005
【図４】
2006060307.tif 000006
【図５】
2006060307.tif 000007
【図６】
2006060307.tif 000008
【図７】
2006060307.tif 000009
【図８】
2006060307.tif 000010
【図９】
2006060307.tif 000011